(57)【特許請求の範囲】
【請求項１】
無線通信システムにおける中央スケジューラがスケジューリング動作を実行する方法であって、
複数の送信ポイント（ＴＰ）のそれぞれと前記複数のＴＰのそれぞれと通信を遂行する各ユーザ端末（ＵＥ）間のチャンネルに対するチャンネル状態情報（ＣＳＩ）を前記複数のＴＰのそれぞれから受信するステップと、
前記複数のＴＰのそれぞれから受信されたＣＳＩに基づいて前記複数のＴＰのそれぞれに無線リソースを割り当てるための第１のスケジューリング動作を実行するステップと、
前記第１のスケジューリング動作の結果を示す第１のスケジューリング情報を前記複数のＴＰのそれぞれに送信するステップと、を含み、
前記第１のスケジューリング情報は、前記複数のＴＰのそれぞれに割り当てられた無線リソースのそれぞれに対する送信電力を示す送信電力情報を含み、前記複数のＴＰのそれぞれで通信するＵＥを選択するための第２のスケジューリング動作を実行するために使用され、
前記第１のスケジューリング情報は、ＩＩＲ（Infinite Impulse Response）フィルタリングされたブランクパターンに基づいて生成され、前記ＩＩＲフィルタリングされたブランクパターンは、送信時間間隔（ＴＴＩ）区間に対するスケジューリングビットマップに基づいてブランクパターンの変更推移を分析することにより選択されることを特徴とする方法。
【請求項２】
前記ＣＳＩは、ランク指示子（ＲＩ）、プリコーディングマトリックス指示子（ＰＭＩ）、チャンネル品質指示子（ＣＱＩ）及び基準信号受信電力（ＲＳＲＰ）のうち少なくとも一つを含むことを特徴とする請求項１に記載の方法。
【請求項３】
前記第１のスケジューリング情報は、前記複数のＴＰのそれぞれが変調及びコーディング方式（ＭＣＳ）を決定するためのリンク適応動作を実行するために使用されることを特徴とする請求項１に記載の方法。
【請求項４】
前記第１のスケジューリング動作を実行するステップは、
前記複数のＴＰのそれぞれから受信されたＣＳＩに基づいてスケジューリング動作を実行する少なくとも一つのＵＥを決定するステップと、
前記複数のＴＰのうち前記少なくとも一つのＵＥに干渉信号を送信するＴＰである干渉ＴＰを時区間単位で検出するステップと、
前記時区間単位で前記干渉ＴＰに対する送信電力を制御するための情報を生成するステップと、
前記干渉ＴＰに対する送信電力を制御するための情報に基づいて前記送信電力情報を生成するステップと、を含むことを特徴とする請求項１に記載の方法。
【請求項５】
前記干渉ＴＰの送信電力を制御するための情報は、前記干渉ＴＰにゼロ電力及び基準信号のみを送信するための電力のうち一つが割り当てられるように制御する情報を含むことを特徴とする請求項４に記載の方法。
【請求項６】
無線通信システムにおける送信ポイント（ＴＰ）がスケジューリング動作を実行する方法であって、
前記ＴＰと複数のユーザ端末（ＵＥ）間のチャンネルに対するチャンネル状態情報（ＣＳＩ）を複数のＴＰを制御する中央スケジューラに送信するステップと、
前記中央スケジューラから第１のスケジューリング動作の結果を示す第１のスケジューリング情報を受信し、前記第１のスケジューリング情報に基づいて前記複数のＵＥのうち通信を実行するＵＥを選択するための第２のスケジューリング動作を実行するステップと、を含み、
前記第１のスケジューリング動作は、前記中央スケジューラにより前記複数のＴＰのそれぞれから受信されたＣＳＩに基づいて前記複数のＴＰのそれぞれに無線リソースを割り当てるために実行され、前記第１のスケジューリング情報は、前記複数のＴＰのそれぞれに割り当てられた無線リソースのそれぞれに対する送信電力を示す送信電力情報を含み、
前記第１のスケジューリング情報は、ＩＩＲ（Infinite Impulse Response）フィルタリングされたブランクパターンに基づいて生成され、前記ＩＩＲフィルタリングされたブランクパターンは、送信時間間隔（ＴＴＩ）区間に対するスケジューリングビットマップに基づいてブランクパターンの変更推移を分析することにより選択されることを特徴とする方法。
【請求項７】
前記ＣＳＩは、ランク指示子（ＲＩ）、プリコーディングマトリックス指示子（ＰＭＩ）、チャンネル品質指示子（ＣＱＩ）及び基準信号受信電力（ＲＳＲＰ）のうち少なくとも一つを含むことを特徴とする請求項６に記載の方法。
【請求項８】
前記第１のスケジューリング情報に基づいて変調及びコーディング方式（ＭＣＳ）を決定するためのリンク適応動作を実行するステップをさらに含むことを特徴とする請求項６に記載の方法。
【請求項９】
前記第１のスケジューリング動作は、前記中央スケジューラにより前記複数のＴＰのそれぞれから受信されたＣＳＩに基づいてスケジューリング動作を実行する少なくとも一つのＵＥを決定し、前記複数のＴＰのうち前記少なくとも一つのＵＥに干渉信号を送信するＴＰである干渉ＴＰを時区間単位で検出し、前記時区間単位で前記干渉ＴＰに対する送信電力を制御するための情報を生成し、前記干渉ＴＰに対する送信電力を制御するための情報に基づいて前記送信電力情報を生成するために遂行されることを特徴とする請求項６に記載の方法。
【請求項１０】
前記干渉ＴＰの送信電力を制御するための情報は、前記干渉ＴＰにゼロ電力及び基準信号のみを送信するための電力のうち一つが割り当てられるように制御する情報を含むことを特徴とする請求項９に記載の方法。
【請求項１１】
無線通信システムにおける請求項１乃至５に記載のいずれか一つの方法を実行するように構成されることを特徴とする中央スケジューラ。
【請求項１２】
無線通信システムにおける請求項６乃至１０に記載のいずれか一つの方法を実行するように構成されることを特徴とする送信ポイント。
【発明の詳細な説明】
【技術分野】
【０００１】
本発明は、無線通信システムにおけるスケジューリングを実行する方法及び装置に関し、特に、本発明は、セル間の干渉を低減させ、無線通信システムにおけるセルスループットを向上させることができるスケジューリングを実行する方法及び装置に関する。
【背景技術】
【０００２】
無線通信の性能を向上させるためには、ラジオスペクトラムの効率的な使用が要求される。しかしながら、複数のセルが密集しているネットワーク環境でのセル間の干渉は、性能向上を制限する主な原因である。したがって、最近、セル間の干渉イッシューを解決するためにマルチセル間の協調伝送技術が研究されている。マルチセル間の協調伝送技術のうち一つとして第３世代パートーナーシップロングタームエボリューション（3rd Generation Partnership Long Term Evolution；３ＧＰＰ ＬＴＥ）Ｒｅｌ.１１標準に導入されたＣｏＭＰ（Coordinated Multi-Point transmission and reception）技術がある。
【０００３】
ＣｏＭＰ技術は、セル間の干渉信号を動的に除去（blank）するか、セル間協調を通して干渉信号を受信希望信号（desired signal）に変換して伝送できるようにする。したがって、このＣｏＭＰ技術が使用される場合、セルエッジ（cell-edge）の性能が向上し、セルカバレッジが拡張されてスペクトラム効率を増加することができる。
【０００４】
一方、ＣｏＭＰ技術の性能を向上させるために、最近多くの研究が進行されている。しかしながら、マルチセル間協調により提供される新たな自由度（Degrees Of Freedom：ＤＯＦ）を最大限活用するためには、ＣｏＭＰ協調（cooperating）セル間の干渉状況を分かる中央集中型スケジューラ（centralized scheduler、以下‘中央スケジューラ’と称する）が必須的に使用されなければならない。
【０００５】
中央スケジューラの主要な役割は、レートの和が最大化されるようにセル別にベストＵＥを選択し、空間多重化（Spatial multiplexing）比率を決定するものである。上記中央スケジューラは、上記中央スケジューラと接続された複数のセル（例えば、複数の送信ポイント（Transmission Point：ＴＰ）または複数のＲＲＨ（Radio Remote Head）またはマクロセルまたはスモールセル基地局（ｅＮＢ）、以下‘ＴＰ’と称する）で構成されたクラスター（cluster）内のＵＥに無線リソースを効率的に割り当てるために、上記クラスター内の全てのＵＥとＴＰの間のチャンネル状態情報（Channel State Information：ＣＳＩ）を獲得しなければならない。これによって、上記中央スケジューラは、上記中央スケジューラとＴＰの間の通信のためのインターフェース、すなわち、バックホール（backhaul）を通して上記ＴＰから上記ＣＳＩを受信する。
【０００６】
上述した情報は、本開示の理解を助けるための背景情報としてのみ提示される。上記で開示された内容が先行技術として適用可能であるか否かにより、本開示が先行技術として定義されるか否かが主張されてはいけない。
【０００７】
上記バックホールとしてイーサネット（Ethernet：登録商標）バックホールや光ファイバーバックホールなどが使用されることができるが、上記バックホール（特に、イーサネットバックホール）を通したＣＳＩ送受信は、遅延が発生する問題がある。上記ＣＳＩ送受信が遅延されると、遅延されたＣＳＩに基づいてスケジューリング（該当クラスター内のＵＥに無線リソース及び変調及びコーディング方式（Modulation and Coding Scheme：ＭＣＳ）を割り当て）が実行されるので、ＣｏＭＰ性能が低下する問題がある。すなわち、従来の中央スケジューラを利用したスケジューリング方式は、バックホール遅延に非常に弱く、時々刻々変わる無線環境で正確なＣＳＩを基にするスケジューリングが実行されない問題がある。
【０００８】
したがって、セル間の干渉を低減させ、無線通信システムにおけるセルスループットを向上させることができるスケジューリングを実行する方法及び装置が要求される。
【発明の概要】
【発明が解決しようとする課題】
【０００９】
本発明は、上述した課題もしくは不都合な点を解決し、少なくとも以下に示す優位性を提供する。
本発明は、無線通信システムにおけるスケジューリングを実行する方法及び装置を提案する。
そして本発明は、無線通信システムにおけるセル間の干渉を低減させ、セルスループットを向上させることができるスケジューリング実行方法及び装置を提案する。
また本発明は、無線通信システムにおける該当無線環境によって、より正確なスケジューリングを実行することができる方法及び装置を提案する。
【課題を解決するための手段】
【００１０】
上記のような目的を達成するために、本発明の一態様によれば、無線通信システムにおける中央スケジューラがスケジューリング動作を実行する方法を提供する。上記方法は、複数の送信ポイント（ＴＰ）のそれぞれと上記複数のＴＰのそれぞれと通信を遂行する各ユーザ端末（ＵＥ）間のチャンネルに対するチャンネル状態情報（ＣＳＩ）を上記複数のＴＰのそれぞれから受信するステップと、上記複数のＴＰのそれぞれから受信されたＣＳＩに基づいて上記複数のＴＰのそれぞれに無線リソースを割り当てるための第１のスケジューリング動作を実行するステップと、上記第１のスケジューリング動作の結果を示す第１のスケジューリング情報を上記複数のＴＰのそれぞれに送信するステップと、を含み、上記第１のスケジューリング情報は、上記複数のＴＰのそれぞれに割り当てられた無線リソースのそれぞれに対する送信電力を示す送信電力情報を含み、上記複数のＴＰのそれぞれで通信するＵＥを選択するための第２のスケジューリング動作を実行するために使用される。
【００１１】
本発明の別の態様によれば、無線通信システムにおける送信ポイント（ＴＰ）がスケジューリング動作を実行する方法を提供する。上記方法は、上記ＴＰと複数のユーザ端末（ＵＥ）間のチャンネルに対するチャンネル状態情報（ＣＳＩ）を複数のＴＰを制御する中央スケジューラに送信するステップと、上記中央スケジューラから第１のスケジューリング動作の結果を示す第１のスケジューリング情報を受信し、上記第１のスケジューリング情報に基づいて上記複数のＵＥのうち通信を実行するＵＥを選択するための第２のスケジューリング動作を実行するステップと、を含み、上記第１のスケジューリング動作は、上記中央スケジューラにより上記複数のＴＰのそれぞれから受信されたＣＳＩに基づいて上記複数のＴＰのそれぞれに無線リソースを割り当てるために実行され、上記第１のスケジューリング情報は、上記複数のＴＰのそれぞれに割り当てられた無線リソースのそれぞれに対する送信電力を示す送信電力情報を含むことを特徴とする。
【００１２】
また、本発明の別の態様によれば、無線通信システムにおける中央スケジューラを提供する。上記中央スケジューラは、複数の送信ポイント（ＴＰ）のそれぞれと上記複数のＴＰのそれぞれと通信を遂行する各ユーザ端末（ＵＥ）間のチャンネルに対するチャンネル状態情報（ＣＳＩ）を上記複数のＴＰのそれぞれから受信するバックホールインターフェースと、上記複数のＴＰのそれぞれから受信されたＣＳＩに基づいて上記複数のＴＰのそれぞれに無線リソースを割り当てるための第１のスケジューリング動作を実行し、上記第１のスケジューリング動作の結果を示す第１のスケジューリング情報を上記複数のＴＰのそれぞれに送信するように上記バックホールインターフェースを制御する制御部とを含み、上記第１のスケジューリング情報は、上記複数のＴＰのそれぞれに割り当てられた無線リソースのそれぞれに対する送信電力を示す送信電力情報を含み、上記複数のＴＰのそれぞれで通信するＵＥを選択するための第２のスケジューリング動作を実行するために使用される。
【００１３】
さらに、本発明の別の態様によれば、無線通信システムにおける送信ポイント（ＴＰ）を提供する。上記送信ポイント（ＴＰ）は、上記ＴＰと複数のユーザ端末（ＵＥ）間のチャンネルに対するチャンネル状態情報（ＣＳＩ）を複数のＴＰを制御する中央スケジューラに送信し、上記中央スケジューラから第１のスケジューリングの結果を示す第１のスケジューリング情報を受信するバックホールインターフェースと、上記第１のスケジューリング情報に基づいて上記複数のＵＥのうち通信するＵＥを選択するための第２のスケジューリング動作を実行する制御部と、を含んで、上記第１のスケジューリング動作は、上記中央スケジューラにより上記複数のＴＰのそれぞれから受信されたＣＳＩに基づいて上記複数のＴＰのそれぞれに無線リソースを割り当てるために遂行され、上記第１のスケジューリング情報は、上記複数のＴＰのそれぞれに割り当てられた無線リソースのそれぞれに対する送信電力を示す送信電力情報を含む。
【００１４】
本発明の他の目的、利点、及び顕著な特徴は、添付の図面及び本発明の実施形態からなされた以下の詳細な説明から、この分野の当業者に明確になるはずである。
【発明の効果】
【００１５】
本発明は、無線通信システムにおけるセル間の干渉を減らしてセル容量及びセルスループットを向上させることができる利点がある。また本発明は、バックホール遅延が発生する無線通信システムでも該当無線環境によって、より正確なスケジューリングを実行することができる効果がある。
本発明の実施形態の上述した及び他の様相、特徴、及び利点は、以下の添付図面が併用された後述の詳細な説明から、より一層明らかになるであろう。
【図面の簡単な説明】
【００１６】
【図１】本発明の実施形態による無線通信システムの構造を示した図である。
【図２】本発明の実施形態による無線通信システムにおけるスケジューリング動作過程を示した図である。
【図３】本発明の実施形態による無線通信システムにおけるＴＰがスケジューリングを実行する過程を示したフローチャートである。
【図４】本発明の実施形態による無線通信システムにおける中央スケジューラがスケジューリングを実行する過程を示したフローチャートである。
【図５Ａ】本発明の実施形態による無線通信システムにおける中央スケジューラがＣＳＩを受信する動作を示した図である。
【図５Ｂ】本発明の実施形態による無線通信システムにおける中央スケジューラがＣＳＩを受信する動作を示した図である。
【図６】本発明の実施形態による中央スケジューラが１段階スケジューリングを実行する過程を示したフローチャートである。
【図７】本発明の実施形態による中央スケジューラが各ＵＥ別干渉ＴＰセットを決定する過程を示したフローチャートである。
【図８】本発明の実施形態による中央スケジューラがＴＰ間の干渉調整動作を実行する過程を示したフローチャートである。
【図９】本発明の実施形態による中央スケジューラがスケジューリングビットマップを送信する動作を示した図である。
【図１０】本発明の実施形態によるＴＰの内部構成図である。
【図１１】本発明の実施形態による中央スケジューラの内部構成図である。  図面中、同一の図面参照符号が同一の構成エレメント、特性、又は構造を意味することは、容易に理解できるであろう。
【発明を実施するための形態】
【００１７】
添付の図面を参照した下記の説明は、特許請求の範囲の記載及びこれと均等なものの範囲内で定められるような本発明の実施形態の包括的な理解を助けるために提供され、この理解を助けるための様々な特定の詳細を含むが、単なる実施形態にすぎない。したがって、本発明の範囲及び趣旨を逸脱することなく、明細書中に説明した実施形態の様々な変更及び修正が可能であるということは、当該技術分野における通常の知識を有する者には明らかであろう。また、明瞭性と簡潔性の観点から、当業者には既知の機能や構成に関する具体的な説明を省略する。
【００１８】
以下の説明及び請求項に使用する用語及び単語は、辞典的意味に限定されるものではなく、本発明の理解を明確且つ一貫性があるようにするために使用される。したがって、本発明の実施形態の説明が単に実例を提供するためのものであって、特許請求の範囲とこれと均等なものに基づいて定義される発明をさらに限定する目的で提供されるものでないことは、本発明の技術分野における通常の知識を持つ者には明らかであろう。
【００１９】
本願明細書に記載の各エレメントは、文脈中で特に明示しない限り、複数形を含むことは、当業者には理解できるであろう。したがって、例えば、“コンポーネント表面（a component surface）”との記載は、１つ又は複数の表面を含む。
【００２０】
“実質的に(substantially)”という用語は、提示された特徴、パラメータ、又は値が正確に設定される必要はないが、許容誤差、測定誤り、測定精度限界及び当業者に知られているか、あるいは当業者によって実験なしに得られる要素を含む偏差又は変化が、これら特性が提供しようとする効果を排除しない範囲内で発生することを意味する。
【００２１】
図１は、本発明の実施形態による無線通信システムの構造を示した図である。
図１を参照すると、上記無線通信システムは、中央集中型スケジューラ（centralized scheduler、以下‘中央スケジューラ’と称する）１００と特定クラスター（coordinated cluster）１１０に含まれた複数のセルを含む。複数のセルは、例えば、複数の送信ポイント（Transmission Point：ＴＰ）や、複数のＲＲＨ（Radio Remote Head）または複数のサブセルまたはマクロセル基地局（enhanced Node B）またはスモールセルＥｎｂであり得る。複数のセルは、全部同一の物理的セル識別子（Physical Cell IDentifier：ＰＣＩＤ）を有するか、各々相異なるＰＣＩＤを有することができる。以下では、説明の便宜上、複数のセルを複数のＴＰと称する。
【００２２】
中央スケジューラ１００は、複数のＴＰのそれぞれと予め設定されたインターフェース（例えば、バックホール）を使用して通信を遂行することができる。例えば、中央スケジューラ１００は、上記複数のＴＰのそれぞれから該当ＴＰとＵＥ間のチャンネルに対するチャンネル状態情報（Channel State Information：ＣＳＩ）などを受信することができる。
【００２３】
図２は、本発明の実施形態による無線通信システムにおけるスケジューリング動作過程を示した図である。図２を参照すると、スケジューリング動作過程はＵＥ２００、ＴＰ２１０及び中央スケジューラ２２０間に実行される。図２に示されたＵＥ２００とＴＰ２１０のスケジューリング動作は、複数個のＵＥ及び複数個のＴＰのそれぞれで遂行され得る。そして、中央スケジューラ２２０は、図１に示された中央スケジューラ１００に対応する。
【００２４】
図２を参照すると、ステップ２０１で、ＵＥ２００は、ＵＥ２００とＴＰ２１０間のチャンネルに対するチャンネル状態を測定し、ステップ２０３で上記測定されたチャンネル状態に対する情報を含む第１のＣＳＩをＴＰ２１０に送信する。第１のＣＳＩは、チャンネル品質指示子（Channel-Quality Indicator：ＣＱＩ）、プリコーディングマトリックス指示子（Precoding Matrix Indicator：ＰＭＩ）及びランク指示子（Rank Indicator:ＲＩ)などを含み得る。
【００２５】
ＴＰ２１０は、ステップ２０５でＵＥ２００とＴＰ２１０間のチャンネルに対するチャンネル状態を推定し、ステップ２０７で推定されたチャンネル状態に対する情報が含まれた第２のＣＳＩを中央スケジューラ２２０に送信する。ここで、第２のＣＳＩは、セル特定基準信号（Cell-specific Reference Signal：ＣＲＳ）またはチャンネル状態情報基準信号（Channel State Information Reference Signal：ＣＳＩ−ＲＳ）に基づく基準信号受信電力（Reference Signal Received Power：ＲＳＲＰ）、アップリンク（Uplink：ＵＬ）サウンディング基準信号（Sounding Reference Signal：ＳＲＳ）電力などを含み得る。第２のＣＳＩは、ＵＥ２００から受信された第１のＣＳＩを追加的に含み得る。
【００２６】
中央スケジューラ２２０は、ＴＰ２１０を含む複数のＴＰから第２のＣＳＩを受信する。ここで、上記複数のＴＰの第２のＣＳＩもＴＰ２１０の第２のＣＳＩと同一の方式で生成されることができる。中央スケジューラ２２０は、ステップ２０９で上記複数のＴＰから受信された第２のＣＳＩに基づいて１段階スケジューリング（仮想スケジューリング（Virtual Scheduling）：リソース調整（coordinated）スケジューリング）を実行する。この１段階スケジューリングは、各ＴＰにダウンリンク（ＤＬ）送信のための無線リソース及び送信電力を割り当て、干渉制御のために各ＴＰ別にスケジューリング対象ＵＥ（scheduling candidate UE）を決定するために実行される。
【００２７】
中央スケジューラ２２０は、上記各ＴＰ別にスケジューリング対象ＵＥが決定されると、ステップ２１１で該当スケジューリング対象ＵＥに対する各ＴＰ間の干渉を調整する。例えば、中央スケジューラ２２０は、上記各ＴＰ別スケジューリング対象ＵＥに対して干渉として作用するＴＰを検出し、上記検出されたＴＰに対して予め設定された時区間の間に電力を制御する動作をＴＰ間の干渉調整動作として遂行する。
【００２８】
上記ＴＰ間の干渉調整動作は、例えば、電力オン／オフ制御動作及びブランク（blank）オン／オフ制御動作のうち一つを含み得る。ここで、電力オン／オフ制御動作は、割り当てられた無線リソースで上記予め設定された時区間の間、データ（例えば、物理的ダウンリンク共有チャンネル（Physical Downlink Shared Channel：ＰＤＳＣＨ）上のデータ）及び基準信号（ＣＲＳ及び復調基準信号（Demodulation Reference Signal：ＤＭ−ＲＳ）など）の全部を送信しないように電力を制御する動作を示す。ブランクオン／オフ制御動作は、割り当てられた無線リソースで、上記データは送信せず、上記基準信号は送信するように電力を制御する動作を示す。
【００２９】
中央スケジューラ２２０は、ステップ２１３でスケジューリングビットマップ（Scheduling Bit-Map）をＴＰ２１０に送信する。そして中央スケジューラ２２０は、特定時区間の間の各ＴＰの電力制御情報が含まれるように上記スケジューリングビットマップを生成して送信する。
【００３０】
上記スケジューリングビットマップは、各ＴＰに割り当てられた無線リソース別送信電力情報を含み得る。あるいは上記スケジューリングビットマップは、上記特定時区間の間の電力オン／オフ可否をビット値形態で含むか（例えば、電力オンである場合、‘１’値が含まれ、電力オフである場合、‘０’値が含まれる）、上記特定時区間の間のブランクオン／オフ可否をビット値形態で含むことができる（例えば、ブランクオン（基準信号のみが送信可能な状況）である場合、‘１’値が含まれ、ブランクオフ（データ及び基準信号の両方が送信可能な状況）である場合、‘０’値が含まれる）。
【００３１】
ＴＰ２１０は、上記スケジューリングビットマップを受信し、ステップ２１５で上記受信されたスケジューリングビットマップに基づいて２段階スケジューリング（リアルタイムスケジューリング：ＵＥスケジューリング）を実行する。上記スケジューリングビットマップは、ＴＰ２１０に対する干渉が制御されたこと（すなわち、干渉ＴＰの電力が制御されたこと）を示す情報であるから、ＴＰ２１０は、干渉が制御された該当無線環境を考慮してリアルタイムでスケジューリングを実行することができる。
【００３２】
一方、２段階スケジューリングは、バックホール遅延（backhaul delay）を克服するためのもので、スケジューリングビットマップを決定するためのステップ２０９の１段階スケジューリングとは別途に実行され得る。
【００３３】
２段階スケジューリングは、該当ＴＰからサービスを受信するＵＥが報告した最も最新のＣＳＩ情報と中央スケジューラ２２０から受信された干渉ＴＰの特定時区間の間の電力オン／オフ情報（又はブランクオン／オフ情報）を含んでいるスケジューリングビットマップに基づいて実行される。これによって、変調及びコーディング方式（Modulation and Coding Scheme：ＭＣＳ）決定（すなわち、リンク適応動作）も再び実行され得る。
【００３４】
上記のように、中央スケジューラ２２０と各ＴＰで多重段階スケジューリング（dual-stage scheduling）が実行されることによって、遅延耐性（delay-tolerant）（例えば、バックホール遅延にロバストな（robust））スケジューリングが可能である。
【００３５】
ＴＰ２１０は、スケジューリングの実行によって、無線リソース及びＭＣＳなどがＵＥ２００に割り当てられると、ステップ２１７でＵＥ２００にデータを送信する。その後、ＵＥ２００は、ステップ２１９でデータを受信して無線通信を実行する。
以下、ＴＰ２１０と中央スケジューラ２２０の動作を具体的に説明する。まず、図３を参照してＴＰ２１０の動作を説明する。
【００３６】
図３は、本発明の実施形態による無線通信システムにおけるＴＰがスケジューリングを実行する過程を示したフローチャートである。
図３を参照すると、ＴＰ２１０は、ステップ３００でＴＰ２１０とＵＥ２００間のチャンネルに対するＣＳＩを獲得する。ＴＰ２１０は、ＵＥ２００から上記ＣＳＩを受信するか、ＴＰ２１０とＵＥ２００間のチャンネルの状態を直接測定することによって上記ＣＳＩを獲得する。ここで、ＴＰ２１０は、ＵＥ２００から受信されたＣＳＩと上記直接測定したＣＳＩのうちいずれか一つを使用するか又は全部を使用することができる。一方、ＴＰ２１０が獲得できるＣＳＩとしては、ＣＲＳまたはＣＳＩ−ＲＳに基づいて測定されたＲＳＲＰ、ＵＬ ＳＲＳ電力、ＣＱＩ、ＰＭＩ及びＲＩなどであり得る。
【００３７】
ＴＰ２１０は、ステップ３０２で上記獲得されたＣＳＩを中央スケジューラ２２０に送信する。次に、ＴＰ２１０は、ステップ３０４で中央スケジューラ２２０からスケジューリングビットマップが受信されるか否かを判定する。上記スケジューリングビットマップは、特定クラスター１１０に含まれた複数のＴＰのうち少なくとも一つに対する電力オン／オフ可否またはブランクオン／オフ可否をビット値形態で示した情報を含む。そして上記スケジューリングビットマップは、予め設定された時間単位（例えば、ＴＴＩ（Transmit Time Interval））によって生成されることができ、例えば、下記＜表１＞に示したように生成されることができる。
【００３８】
【表１】
0006348503.tif 000002
【００３９】
＜表１＞は、上記複数のＴＰのうち第１のＴＰのために生成された第１のＴＴＩ及び第２のＴＴＩのスケジューリングビットマップを示している。＜表１＞に示したように、各ビットの位置は、各ＴＰに一対一にマッピングされ、１及び０は、各々該当ＴＰの電力オン／オフ（またはオフ／オン）またはブランクオン／オフ（またはオフ／オン）を示す。
【００４０】
上記第１のＴＴＩ及び第２のＴＴＩの間にオフされるＴＰは、上記第１のＴＰの干渉ＴＰになることができる。そして無線環境は、継続的に変更され得るので、ＴＴＩ別に干渉ＴＰは変更され得る。一方、上記スケジューリングビットマップは、上記複数のＴＰ全体に対するオン／オフ情報を含み得るが、上記複数のＴＰのうち一部のＴＰに対するオン／オフ情報を含むことも可能である。
【００４１】
ＴＰ２１０は、上記のようなスケジューリングビットマップが受信された場合、ステップ３０６に進行して上記受信されたスケジューリングビットマップに基づいて２段階スケジューリングを実行する。すなわち、ＴＰ２１０は、中央スケジューラ２２０により干渉が制御された無線環境を考慮して２段階スケジューリングを実行する。
【００４２】
本発明の実施形態における各ＴＰは、中央スケジューラ２２０と各ＴＰとの間のバックホール遅延を克服するために、上記スケジューリングビットマップ決定のための１段階スケジューリングとは別途に２段階スケジューリングを実行する。２段階スケジューリングは、該当ＴＰからサービスを受信するＵＥが報告した最も最新のＣＳＩ情報と中央スケジューラ２２０から受信された干渉ＴＰの特定時区間の間の電力オン／オフ情報（又はブランクオン／オフ情報）を含んでいるスケジューリングビットマップに基づいて遂行される。これによって、ＭＣＳ決定も再び遂行され得る。このように、本発明の実施形態では、中央スケジューラ２２０と各ＴＰで多重段階スケジューリングが実行されることによって、遅延耐性（例えば、バックホール遅延にロバストな）スケジューリングが可能である。
【００４３】
次に、中央スケジューラ２２０の動作を図４を参照して説明する。
図４は、本発明の実施形態による無線通信システムにおける中央スケジューラがスケジューリングを実行する過程を示したフローチャートである。
図４を参照すると、ステップ４００で中央スケジューラ２２０は、複数のＴＰのそれぞれから該当ＴＰとＵＥ間のチャンネルに対するＣＳＩを受信する。
【００４４】
図５Ａ及び５Ｂは、本発明の実施形態による無線通信システムにおける中央スケジューラがＣＳＩを受信する動作を示した図である。
図５Ａを参照すると、中央スケジューラ２２０は、複数のＴＰ（第１のＴＰ５００、第２のＴＰ５０２及び第３のＴＰ５０４）の各々が測定したチャンネル状態に対する情報、すなわち、ＲＳＲＰ及びＵＬ ＳＲＳ電力に対する情報などを上記ＣＳＩとして受信する。
【００４５】
図５Ｂを参照すると、中央スケジューラ２２０は、複数のＴＰ（第１のＴＰ５００、第２のＴＰ５０２及び第３のＴＰ５０４）の各々が該当セル内のＵＥ５０６から受信したＣＱＩ、ＰＭＩ及びＲＩなどを上記ＣＳＩとして受信する。中央スケジューラ２２０は、マルチＣＳＩフィードバック（multi-CSI feedback）方式が使用される場合、複数のＣＳＩを受信することが可能である。例えば、第１のＴＰ５００、第２のＴＰ５０２及び第３のＴＰ５０４のそれぞれの電力が制御されたか否かによって、ＵＥ５０６と第１のＴＰ５００との間のチャンネル状態は変更されるので、中央スケジューラ２２０は、各状況に従う複数のＣＳＩを受信することができる。
【００４６】
具体的に、第１のＴＰ５００、第２のＴＰ５０２及び第３のＴＰ５０４の電力が全部オンされた場合、第１のＴＰ５００及び第２のＴＰ５０２の電力はオンされ、上記第３のＴＰ５０４の電力はオフされた場合、第１のＴＰ５００及び第３のＴＰ５０４の電力はオンされ、第２のＴＰ５０２の電力はオフされた場合、第１のＴＰ５００の電力はオンされ、第２のＴＰ５０２及び第３のＴＰ５０４の電力はオフされた場合、各々によってＵＥ５０６と第１のＴＰ５００間のチャンネル状態は変更されるので、上記四つのケースの場合、各々に従うＣＳＩが中央スケジューラ２２０に送信されることができる。
【００４７】
図４を再度参照すると、上記のように、送信されたＣＳＩが受信されると、中央スケジューラ２２０は、ステップ４０２で上記受信されたＣＳＩを使用して１段階スケジューリングを実行する。１段階スケジューリングは、干渉制御のためにスケジューリング対象ＵＥを予め決定するためのものとして、具体的な動作過程は、以後、図６を参照して説明する。
【００４８】
中央スケジューラ２２０は、ステップ４０４でＴＰ間の干渉調整動作を実行する。具体的に、中央スケジューラ２２０は、該当クラスター内の全てのＴＰそれぞれのスケジューリング対象ＵＥに対してＴＰ間の干渉調整を遂行する。すなわち、中央スケジューラ２２０は、ＴＴＩ別に上記ＵＥのそれぞれに干渉の影響を及ぼすＴＰの電力を制御させることを決定する動作を実行する。上記ＴＰ間の干渉調整動作に対しては、以後、図８を参照して詳細に説明する。
【００４９】
中央スケジューラ２２０は、ステップ４０６で上記ＴＰ間の干渉調整動作に対する結果に基づいて毎ＴＴＩ単位で各ＴＰ別電力オン／オフビット値（又はブランクオン／オフビット値）を決定する。各ＴＴＩに対するＴＰ別電力オン／オフビット値は、それぞれ異なるブランクパターン（Blank Pattern）を示す。
【００５０】
中央スケジューラ２２０は、ステップ４０８で上記決定された各ＴＰ別電力オン／オフビット値を使用してスケジューリングビットマップをＴＴＩ単位で生成する。そして中央スケジューラ２２０は、ステップ４１０で上記生成されたスケジューリングビットマップを該当クラスター内の全てのＴＰに送信する。ここで、各ＴＰに送信されるスケジューリングビットマップは、該当ＴＰのＴＴＩ別電力オン／オフビット値だけでなく、隣接ＴＰに対するＴＴＩ別電力オン／オフビット値（又はブランクオン／オフビット値）を含むことによって、干渉制御状況を各ＴＰが確認することができるようにする。
【００５１】
一方、中央スケジューラ２２０は、該当クラスター内の全てのＴＰのうち該当ＴＰセルのＵＥに干渉の影響を大きく及ぼす（すなわち、臨界値以上のサイズを有する干渉信号を送信する）Ｎ個のＴＰを検出する。中央スケジューラ２２０は、上記Ｎ個のＴＰを該当ＴＰセルのＵＥに対するＲＳＲＰに基づいて検出し、上記検出されたＮ個のＴＰを上記隣接ＴＰとして決定する。ここで、上記Ｎの値が大きければ大きいほど、該当ＴＰに及ぼす干渉をより正確に制御することができ、スケジューリング性能が向上することができるが、中央スケジューラ２２０の動作及び構成に対する複雑度（complexity）が増加する。
【００５２】
上記スケジューリングビットマップは、各ＴＴＩ別に毎度生成されて使用されることができるが、バックホール遅延に対する問題などを考慮して該当ＴＴＩに使用するスケジューリングビットマップを類推して使用されることも可能である。この場合、中央スケジューラ２２０は、予め設定されたＴＴＩ区間（例えば、第１のＴＴＩ〜第ＮのＴＴＩ区間）間のスケジューリングビットマップに基づいてブランクパターンの変更推移を分析し、上記分析結果に基づいて該当ＴＴＩ間のブランクパターンを類推することによって、スケジューリングビットマップを生成することができる。例えば、中央スケジューラ２２０は、ＩＩＲ（Infinite Impulse Response）フィルタリング（filtering）されたブランクパターンに基づいてスケジューリングビットマップを生成して使用することができる。または、中央スケジューラ２２０は、バッファに保存された複数のブランクパターンのうち一つをランダムに選択し、上記選択されたブランクパターンに基づいてスケジューリングビットマップを生成して使用することができる。
【００５３】
このような方法で生成されたスケジューリングビットマップを受信した該当クラスター内の全てのＴＰは、各々受信されたスケジューリングビットマップに基づいて２段階スケジューリングを実行する。この時、２段階スケジューリングの結果によって選択されたＵＥは、１段階スケジューリングの結果によって選択されるＵＥとは異なることがある。
【００５４】
次に、図６を参照し、１段階スケジューリングに対して説明する。
図６は、本発明の実施形態による中央スケジューラが１段階スケジューリングを実行する過程を示したフローチャートである。
図６を参照すると、中央スケジューラ２２０は、ステップ６００で各ＵＥ別干渉ＴＰセット（interference TP set）を決定する。上記干渉ＴＰセットは、各ＵＥに対する干渉制御のために電力制御が要求されるＴＰの集合を示す。上記干渉ＴＰセットを決定する方法は、以後、図７を参照して詳細に説明する。
【００５５】
中央スケジューラ２２０は、ステップ６０２で各ＵＥ別ＰＦメトリックを決定する。上記ＰＦメトリックは、上記各ＵＥのデータ処理量を示す値として、例えば、ｉ番目のＴＴＩ間の各ＵＥのデータ処理量と予め設定されたＴＴＩ区間の間の各ＵＥの平均データ処理量との比として決定される。ここで、上記ｉ番目のＴＴＩ間の各ＵＥの処理量は、各ＵＥに対する信号対干渉及び雑音比（Signal-to-Interference plus Noise Ratio:ＳＩＮＲ）を使用して決定される。そして上記ＰＦメトリックは、上記各ＵＥのＱｏＳ及びリソース割り当て（resource allocation）比率などをさらに考慮して決定され、上記ＳＩＮＲ及びＰＦメトリックは、干渉ＴＰの電力がオフされたことを仮定して決定される。
【００５６】
中央スケジューラ２２０は、ステップ６０４で上記ＰＦメトリックに基づいて各ＴＰ別にスケジューリング対象ＵＥを選択する。この時、中央スケジューラ２２０は、最大ＰＦメトリックを有するＵＥを上記スケジューリング対象ＵＥとして選択する。
【００５７】
以下、ステップ６００での中央スケジューラ２２０の動作を図７を参照して具体的に説明する。
図７は、本発明の実施形態による中央スケジューラが各ＵＥ別干渉ＴＰセットを決定する過程を示したフローチャートである。
図７を参照すると、中央スケジューラ２２０は、ステップ７００で各ＵＥの干渉ＴＰを検出する。上記各ＵＥは、セル間の干渉（inter-cell interference）を発生させる一つ以上の干渉ＴＰを有し得るが、上記干渉ＴＰは一つのマクロ基地局（Base Station：ＢＳ）に限定されず、該当クラスター内の全てのＴＰを考慮して検出される。
【００５８】
中央スケジューラ２２０は、ステップ７０２で上記検出された干渉ＴＰを干渉信号のサイズを基準に整列する。例えば、中央スケジューラ２２０は、干渉信号のサイズが大きい順に上記検出された干渉ＴＰを整列する。
【００５９】
次に、中央スケジューラ２２０は、ステップ７０４で干渉ＴＰ別加重値を決定する。上記加重値は、干渉ＴＰの数を決定するために使用される補償加重値（compensation weight）を示し、次の＜数式１＞のように決定される。
【００６０】
【数１】
0006348503.tif 000003
【００６１】
上記＜数式１＞で、αは、ＵＥｉのサービングＴＰがマクロＢＳであり、電力制御が要求されるＴＰが他のマクロＢＳである場合に決定される加重値を示し、βは、ＵＥｉのサービングＴＰがマクロＢＳであり、電力制御が要求されるＴＰが低電力ＴＰである場合に決定される加重値を示し、γは、ＵＥｉのサービングＴＰが低電力ＴＰであり、電力制御が要求されるＴＰがマクロＢＳである場合に決定される加重値を示し、λは、ＵＥｉのサービングＴＰが低電力ＴＰであり、電力制御が要求されるＴＰが他の低電力ＴＰである場合に決定される加重値を示す。中央スケジューラ２２０は、上記加重値α、β、γ、λを調整することによって、該当クラスター内のセル間の干渉を効率的に制御することができる。
【００６２】
中央スケジューラ２２０は、ステップ７０６で上記決定された加重値を使用して電力制御を要請する干渉ＴＰの数を決定する。ここで、上記電力制御を要請する干渉ＴＰの数は、次の＜数式２＞を使用して決定することができる。
【００６３】
【数２】
0006348503.tif 000004
【００６４】
上記＜数式２＞で、k*は、上記電力制御を要請する干渉ＴＰの数を示し、INTiは、ＵＥｉの干渉ＴＰの数を示し、Ri(k)は、上記電力制御を要請する干渉ＴＰの数がｋ個である時のレートを示し、Ｗkは、上記電力制御を要請する干渉ＴＰの数に従う補償加重値要素（compensation weight factor）を示し、下記＜数式３＞を使用して決定することができる。
【００６５】
【数３】
0006348503.tif 000005
【００６６】
＜数式３＞で、δは、上述した加重値α、β、γ、λのうち一つの値であり得る。具体的に、δは、ＵＥｉのサービングＴＰがマクロＢＳであり、電力制御が要求されるＴＰが他のマクロＢＳである場合、αであり得、ＵＥｉのサービングＴＰがマクロＢＳであり、電力制御が要求されるＴＰが低電力ＴＰである場合、βであり得、ＵＥｉのサービングＴＰが低電力ＴＰであり、電力制御が要求されるＴＰがマクロＢＳである場合、γであり得、ＵＥｉのサービングＴＰが低電力ＴＰであり、電力制御が要求されるＴＰが他の低電力ＴＰである場合、λであり得る。
【００６７】
中央スケジューラ２２０は、ステップ７０８で上記決定された干渉ＴＰの数に従う干渉ＴＰを含む干渉ＴＰセットを決定する。この時、中央スケジューラ２２０は、干渉信号のサイズが大きい順に上記決定された干渉ＴＰの数だけの干渉ＴＰを上記干渉ＴＰセットとして決定することができる。
【００６８】
次に、図８を参照して、中央スケジューラ２２０がＴＰ間の干渉調整動作を実行する過程を説明する。
図８は、本発明の実施形態による中央スケジューラがＴＰ間の干渉調整動作を実行する過程を示したフローチャートである。
図８を参照すると、ステップ８００で、中央スケジューラ２２０は、上記ＰＦメトリックに基づいてＵＥのスケジューリング優先順位を決定する。具体的に、中央スケジューラ２２０は、スケジューリング対象として決定された各ＵＥのＰＦメトリックに基づいて該当ＵＥを整列する。例えば、中央スケジューラ２２０は、下記＜表２＞に示したように、各ＴＰ別ＵＥ、ＰＦメトリック及び干渉ＴＰに対する情報がテーブル形態で保存されている場合、下記＜表３＞に示したようにＰＦメトリックが大きい順に該当ＵＥを整列する。上記ＰＦメトリックが大きいほど、ＵＥのスケジューリング優先順位は、高くなる。
【００６９】
【表２】
0006348503.tif 000006
【００７０】
【表３】
0006348503.tif 000007
【００７１】
中央スケジューラ２２０は、ステップ８０２でスケジューリングのためのＵＥを選択する。例えば、中央スケジューラ２２０は、最も高い優先順位を有するＵＥ（すなわち、最大のＰＦメトリックを有するＵＥ Ｂ）を選択することができる。次に、中央スケジューラ２２０は、ステップ８０４で上記選択されたＵＥが最優先順位のＵＥであるか否かを判定する。
【００７２】
中央スケジューラ２２０は、上記選択されたＵＥが最優先順位のＵＥである場合、ステップ８０６に進行して上記選択されたＵＥに無線リソースを割り当てることを決定する。そして中央スケジューラ２２０は、ステップ８０８で上記選択されたＵＥに対応する干渉ＴＰに電力制御を要請することを決定する。例えば、上記＜表２＞で最優先順位のＵＥ Ｂに対する干渉ＴＰは、ＴＰ１及びＴＰ５であるから、中央スケジューラ２２０は、上記ＵＥ Ｂが無線リソースを受信し通信を遂行する第ＮのＴＴＩ間に上記ＴＰ１及びＴＰ５に電力制御を要請することを決定する。
【００７３】
【表４】
0006348503.tif 000008
【００７４】
上記＜表４＞は、上記ＵＥ Ｂの干渉ＴＰであるＴＰ１及びＴＰ５の電力が第ＮのＴＴＩ間に電力オフされる形態で制御されることを示している。上記ＴＰ１及びＴＰ５の電力オフによって、上記第ＮのＴＴＩに対応するスケジューリング優先順位は、上記＜表４＞に示したように変更される。
【００７５】
一方、最優先順位のＵＥに対するスケジューリングが完了すると、中央スケジューラ２２０は、再びステップ８０２に進行してスケジューリングのためのＵＥを選択する。この時、中央スケジューラ２２０は、スケジューリングが完了した上記最優先順位のＵＥを除外した残りのＵＥのうち、最も優先順位が高いＵＥを選択する。＜表４＞では、上記ＵＥ Ｂの次に２番目に優先順位が高いＵＥ Ｃが選択されることができる。
【００７６】
中央スケジューラ２２０は、ステップ８０４で上記選択されたＵＥが最優先順位のＵＥであるか否かを判定する。上記ＵＥ Ｃは、上記最優先順位のＵＥではなく、２番目に優先順位が高いＵＥであるから、中央スケジューラ２２０は、ステップ８１０に進行する。
【００７７】
中央スケジューラ２２０は、ステップ８１０で上記選択されたＵＥのＴＰの優先順位と上記選択されたＵＥの干渉ＴＰの優先順位を比較する。中央スケジューラ２２０は、ステップ８１２で上記選択されたＵＥのＴＰの優先順位が上記選択されたＵＥの干渉ＴＰの優先順位よりも低い場合、ステップ８１４に進行して上記選択されたＵＥのスケジューリング優先順位を最下位優先順位に変更する。下記＜表５＞は、上記ＵＥ Ｃのスケジューリング優先順位が最下位優先順位に変更されたことを示している。
【００７８】
【表５】
0006348503.tif 000009
【００７９】
一方、中央スケジューラ２２０は、ステップ８１２で上記選択されたＵＥのＴＰの優先順位が上記選択されたＵＥの干渉ＴＰの優先順位よりも低くない場合、ステップ８１６に進行して上記選択されたＵＥに無線リソースを割り当てることを決定する。そして中央スケジューラ２２０は、ステップ８１８で上記選択されたＵＥの干渉ＴＰに電力制御を要請することを決定する。
上記のような過程が完了すると、中央スケジューラ２２０は、スケジューリングビットマップを生成して各ＴＰに送信する。
【００８０】
図９は、本発明の実施形態による中央スケジューラがスケジューリングビットマップを送信する動作を示した図である。
図９を参照すると、中央スケジューラ２２０は、各クラスター別にスケジューリングビットマップを生成して送信することが分かる。図９で陰影処理されたセルは、電力オフ（又はブランクオン）されたＴＰに対応するセルを示し、陰影処理されないセルは、電力オン（又はブランクオフ）されたＴＰに対応するセルを示す。電力オフ（又はブランクオフ）されたＴＰと電力オン（又はブランクオン）されたＴＰは、ＴＴＩ別に変わることができる。
【００８１】
図１０は、本発明の実施形態によるＴＰの内部構成図である。
図１０を参照すると、上記ＴＰは、送信部１０００、受信部１００２、バックホールインターフェース部１００４、メモリ１００６及び制御部１００８を含む。
送信部１０００及び受信部１００２は、ＵＥと通信を遂行するための構成部である。例えば、送信部１０００は、ＣＲＳまたはＣＳＩ−ＲＳなどの基準信号及びダウンリンクデータを上記ＵＥに送信する。そし、受信部１００２は、上記ＵＥから送信されるＵＬデータやＣＱＩ、ＰＭＩ及びＲＩなどの第１のＣＳＩを受信する。
【００８２】
バックホールインターフェース部１００４は、中央スケジューラ２２０との通信を実行するためのインターフェースを提供する。バックホールインターフェース部１００４は、上記ＵＥから獲得した第１のＣＳＩ及び上記ＴＰが測定した第２のＣＳＩのうち少なくとも一つを中央スケジューラ２００に送信する。
【００８３】
メモリ１００６は、上記ＴＰの動作制御時に必要な複数の情報と上記ＴＰの動作により生成される情報などを保存する。メモリ１００６は、上記第１のＣＳＩ及び第２のＣＳＩや中央スケジューラ２２０から受信されたスケジューリングビットマップなどを保存する。
【００８４】
制御部１００８は、送信部１０００、受信部１００２、バックホールインターフェース部１００４及びメモリ１００６を制御し、上記ＴＰの全般的な動作を制御する。
【００８５】
制御部１００８は、上記第１のＣＳＩを上記ＵＥから受信するか、上記ＴＰと上記ＵＥ間のチャンネルのチャンネル状態を直接測定することによって、第２のＣＳＩを獲得する。制御部１００８は、上記第１のＣＳＩ及び第２のＣＳＩのうち少なくとも一つに基づいてＣＲＳまたはＣＳＩ−ＲＳに基づいて測定されたＲＳＲＰ、ＵＬ ＳＲＳ電力、ＣＱＩ、ＰＭＩ及びＲＩなどを獲得することができる。
【００８６】
制御部１００８は、上記第１のＣＳＩ及び第２のＣＳＩのうち少なくとも一つを中央スケジューラ２２０に送信するようにバックホールインターフェース部１００４を制御する。そして制御部１００８は、中央スケジューラ２２０からＴＴＩ別スケジューリングビットマップが受信された場合、上記受信されたスケジューリングビットマップに基づいて２段階スケジューリングを実行する。
【００８７】
図１１は、本発明の実施形態による中央スケジューラの内部構成図である。
図１１を参照すると、中央スケジューラ２２０は、バックホールインターフェース部１１０４、メモリ１１０６及び制御部１１０８を含む。
バックホールインターフェース部１１０４は、該当クラスターに含まれた複数のＴＰのそれぞれと通信を遂行するためのインターフェースを提供する。例えば、バックホールインターフェース部１１０４は、上記複数のＴＰのそれぞれから第２のＣＳＩを受信し、上記複数のＴＰのそれぞれにＴＴＩ別スケジューリングビットマップを送信する。
【００８８】
メモリ１１０６は、中央スケジューラ２２０の動作制御時に必要な複数の情報と中央スケジューラ２２０の動作によって生成される情報などを保存する。メモリ１１０６は、上記複数のＴＰのそれぞれから受信した第２のＣＳＩ及び上記ＴＴＩ別スケジューリングビットマップなどを保存する。
【００８９】
制御部１１０８は、バックホールインターフェース部１１０４及びメモリ１１０６を制御し、中央スケジューラ２２０の全般的な動作を制御する。特に、制御部１１０８は、上述した中央スケジューラ２２０の動作が遂行されるようにバックホールインターフェース部１１０４及びメモリ１１０６を制御することによって、次のような動作を実行する。
【００９０】
制御部１１０８は、上記複数のＴＰのそれぞれから該当ＴＰとＵＥ間のチャンネルに対する第２のＣＳＩが受信されると、上記受信された第２のＣＳＩを使用して１段階スケジューリングを実行する。次に、制御部１１０８は、ＴＰ間の干渉調整動作を実行し、上記ＴＰ間の干渉調整動作に対する結果に基づいて毎ＴＴＩ単位で各ＴＰ別電力またはブランクオン／オフビット値を決定する。そして制御部１１０８は、上記決定された各ＴＰ別電力またはブランクオン／オフビット値を使用してスケジューリングビットマップをＴＴＩ単位で生成し、上記生成されたスケジューリングビットマップを各ＴＰに送信する。
【００９１】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００９２】
１００  中央スケジューラ
１１０  特定クラスター
２００  ＵＥ
２１０  ＴＰ
２２０  中央スケジューラ
５００  第１のＴＰ
５０２  第２のＴＰ
５０４  第３のＴＰ
５０６  ＵＥ
１０００  送信部
１００２  受信部
１００４  バックホールインターフェース部
１００６  メモリ
１００８  制御部
１１０４  バックホールインターフェース部
１１０６  メモリ
１１０８  制御部
【図１】
0006348503.tif 000010
【図２】
0006348503.tif 000011
【図３】
0006348503.tif 000012
【図４】
0006348503.tif 000013
【図５Ａ】
0006348503.tif 000014
【図５Ｂ】
0006348503.tif 000015
【図６】
0006348503.tif 000016
【図７】
0006348503.tif 000017
【図８】
0006348503.tif 000018
【図９】
0006348503.tif 000019
【図１０】
0006348503.tif 000020
【図１１】
0006348503.tif 000021